(57)【要約】【課題】地表面に設置するタイプでありながら、植栽の中に紛れ込めるような形状とし、作業員にも安全で、雨水が入りにくい構造の植栽用コンセントボックスを提供する。【解決手段】埋設配管８を地中からボックス本体１内部に引き入れて、当該配管８の電線と接続したケーブル９の先端にプラグ受け１１を取付け、前記ケーブル９をボックス本体１内から引き出して、又はボックス本体１内で前記プラグ受け１１をコンセントとして使用するコンセントボックスにおいて、ボックス本体１を有底の円形筒型とし、当該ボックス本体１の上端を地表面より上に突出させ、前記埋設配管８をボックス本体１の底板１ａに設けた孔を通してボックス本体１内に引き入れて、ボックス本体１内で前記ケーブル９と接続させ、当該ボックス本体１内に前記ケーブル９及びプラグ受け１１を収納し、当該ボックス本体１の上端縁にドーム型の蓋２を被せた。【選択図】        図１
0003224368.tif 000002
【実用新案登録請求の範囲】
【請求項１】
埋設配管を地中からボックス本体内部に引き入れて、当該配管と接続したケーブルの先端にプラグ受けを取付け、前記ケーブル及びプラグ受けをボックス本体内から引き出して、又はボックス本体内で前記プラグ受けをコンセントとして使用するコンセントボックスにおいて、
ボックス本体を有底の円形筒型とし、当該ボックス本体の上端を地表面より上に突出させ、
前記埋設配管をボックス本体の底板に設けた孔を通してボックス本体内に引き入れて、当該ボックス本体内で前記ケーブルと接続させ、
また、当該ボックス本体内に前記ケーブル及びプラグ受けを収納し、
当該ボックス本体の上端縁にドーム型の蓋の下端縁を被せたことを特徴とする、植栽用コンセントボックス。
【請求項２】
前記ボックス本体の上端縁及び蓋の下端縁の重合箇所にそれぞれ、前記ケーブル断面の大きさの切り欠きを設けたことを特徴とする、請求項１に記載の植栽用コンセントボックス。
【請求項３】
前記蓋の下端縁内周に、下部が下方に突出し内周縁板を設け、当該内周縁板の下部を、前記ボックス本体の上端縁内周に入れて重合させて前記蓋でボックス本体上面を被うことを特徴とする、請求項１又は２に記載の植栽用コンセントボックス。
【請求項４】
前記ボックス本体内に中底を設け、当該中底の下方でボックス本体内に引き入れた埋設配管と前記ケーブルの一端を接続し、前記ケーブルの他端を前記中底に穿った孔を通して中底の上方に導出し、当該中底の孔貫通箇所にケーブル抜け止め具を設け、前記ケーブルの他端及びプラグ受けを中底の上のボックス本体内に収納したことを特徴とする、請求項１〜３のいずれかに記載の植栽用コンセントボックス。
【考案の詳細な説明】
【技術分野】
【０００１】
この考案は、主に植栽等の作業の際に使用する電源としてのコンセントボックスに関するものである。
【背景技術】
【０００２】
現在、植栽内にコンセントを設置する場合、通常防水性の関係でポール付け等にする必要がある。しかしながら、一部では植栽内にポールを付けることが意匠上好まれていないため、植栽のなかに隠れるようなコンセントが望まれている。このような場合、散水栓に使用しているような地中にボックスを設けて、その中にコンセントを収めている。また、特許文献１のように、上記ボックスを地表面に設けている場合もある。
【先行技術文献】
【特許文献】
【０００３】
【特許文献１】特開２００４−１２９４２３号公報
【考案の開示】
【考案が解決しようとする課題】
【０００４】
上記ボックスを地中に埋設したものは、地表面以下にコンセントが配置されることにより防水面が懸念される。また、地中に埋まっているため、コンセントボックスの使用時に容易にその位置を見つけ出しにくい。
【０００５】
また、地表面から出ているものは、蓋面に水が溜まり隙間からボックス内に水が入ってしまう可能性がある。上記特許文献１のものは、コンセント本体部を被うカバーが伏せ椀型であり、前記コンセント本体が、周囲より隆起した台座からなるが、カバーとコンセント本体部との間に間隙があり、当該間隙から雨水が入り、コンセント本体部が水に浸されるおそれがある。
【０００６】
また、前記コンセントボックスは、植え込み等の視界が悪い箇所にあることが多く、ボックスが矩形であると植栽の作業員たちが足などをぶつけて怪我をする可能性がある。
【０００７】
また、地中、地表面を問わず、蓋を密閉タイプとした場合、プラグ受け受けやケーブルを使用する際は、蓋を開けた状態となってしまう。それ故、雨や土が内部に入ってしまうおそれがある。また、蓋を閉めた状態でケーブルを取り出せるように蓋に切り欠き（開口部）を設けた場合は当該切り欠き又は開口部から雨や土が入ってしまう。
【０００８】
この考案は、上記の点に着目し、地中埋設型ではなく、地表面に設置するタイプでありながら、植栽の中に紛れ込めるような形状とし、作業員にも安全で、雨水が入りにくい構造の植栽用コンセントボックスを提供することを目的としたものである。
【課題を解決するための手段】
【０００９】
請求項１の考案は、埋設配管を地中からボックス本体内部に引き入れて、当該配管の電線と接続したケーブルの先端にプラグ受けを取付け、前記ケーブル及びプラグ受けをボックスから引き出して、又はボックス本体内で前記プラグ受けをコンセントとして使用するコンセントボックスにおいて、ボックス本体を有底の円形筒型とし、当該ボックス本体の上端を地表面より上に突出させ、前記埋設配管をボックス本体の底板に設けた孔を通してボックス本体内に引き入れて、当該ボックス本体内で前記ケーブルと接続させ、また、当該ボックス本体内に前記ケーブル及びプラグ受けを収納し、当該ボックス本体の上端縁にドーム型の蓋の下端縁を被せた、植栽用コンセントボックスとした。
【００１０】
また、請求項２の考案は、前記ボックス本体の上端縁及び蓋の下端縁の重合箇所にそれぞれ前記ケーブル断面の大きさの切り欠きを設けた、請求項１に記載の植栽用コンセントボックスとした。
【００１１】
また、請求項３の考案は、前記蓋の下端縁内周に、下部が下方に突出し内周縁板を設け、当該内周縁板の下部を、前記ボックス本体の上端縁内周に入れて重合させて前記蓋でボックス本体上面を被う、請求項１又は２に記載の植栽用コンセントボックスとした。
【００１２】
また、請求項４の考案は、前記ボックス本体内に中底を設け、当該中底の下方でボックス本体内に引き入れた埋設配管と前記ケーブルの一端を接続し、前記ケーブルの他端を前記中底に穿った孔を通して中底の上方に導出し、当該中底の孔貫通箇所にケーブル抜け止め具を設け、前記ケーブルの他端及びプラグ受けを中底の上のボックス本体内に収納した、請求項１〜３のいずれかに記載の植栽用コンセントボックスとした。
【考案の効果】
【００１３】
請求項１の考案によれば、植栽に紛れる程度の大きさにすることができるため、普段は目立たないようにすることができる。一方また、全てが埋設されていないため、使用時に見つけ易い。
【００１４】
また、上部をドーム型の球形にしたことで、蓋に水が溜まらない。また、蓋を被せる形状としたにで、内部に水が溜まりにくい。また、鋭角部がないため、作業者の足がぶつかっても怪我をしにくい。
【００１５】
また、請求項２の考案によれば、蓋をボックス本体に被せて閉じた状態でもプラグ受け付きのケーブルを外部に取り出して使用でき、その際もケーブルが通るだけの大きさの切り欠きのため、当該切り欠きから雨水や土が入りにくい。また、使用しないときは、前記蓋とボックス本体の切り欠きをずらして蓋をすることで、密閉され、雨や土が内部に入らない。
【００１６】
また、請求項３の考案によれば、蓋の下端に内周縁板を突設し、当該内周縁板をボックス本体の上端内周に重合させているため、蓋をボックス本体に被せた際、より密閉できる。
【００１７】
また、請求項４の考案によれば、ボックス本体内部に、内部を上下に二分する中底を設けて、埋設配管とケーブルとを分けて収容しているため、先端にプラグ受けを有するケーブルのボックス本体からの出し入れの際、埋設配管の接続部に触れることがなく、安全である。また、ケーブル抜け止め具を設けているため、ケーブルの取り扱いが容易にできる。
【図面の簡単な説明】
【００１８】
【図１】この考案の実施の形態例１の植栽用コンセントボックスの縦断面図である。
【図２】この考案の実施の形態例１の植栽用コンセントボックスの蓋を開けた正面図である。
【図３】この考案の実施の形態例１の植栽用コンセントボックスの蓋を開けた平面図である。
【図４】この考案の実施の形態例１の植栽用コンセントボックス内の埋設配管とケーブルの配線構成を示す説明図である。
【図５】この考案の実施の形態例１の植栽用コンセントボックスの蓋を閉めた状態でケーブルを外に引き出した状態の正面図である。
【考案を実施するための形態】
【００１９】
（実施の形態例１）
この考案の実施の形態例１の植栽用コンセントボックスＡを図１〜図５に基づいて説明する。
【００２０】
この植栽用コンセントボックスＡは、有底の円筒型のボックス本体１と、当該ボックス本体１の上面を被うドーム型の蓋２とから構成されている。この蓋２の下端内周には、当該内周に沿って内周縁板３の上部が取り付けられ、その下部を蓋２の下端縁から下方に突出させている。
【００２１】
そして、蓋２をボックス本体１の上端に被せた際、前記内周縁板３の下部が、ボックス本体１の開口する上端内周に接して入り、重合、固定し、ボックス本体１は密閉される。また、図２に示すように、前記内周縁板３の下端縁及びボックス本体１の上端縁の一箇所、すなわち蓋２とボックス本体１との重合箇所に、後述のケーブル９の断面と同じ大きさの切り欠き４、５がそれぞれ設けられ、これらの切り欠き４、５の位置を合わせると、ケーブル９が挿通可能である。また、これらの切り欠き４、５の位置をずらすとボックス本体１と蓋２は密閉される。
【００２２】
また、図１及び図３に示すように、前記ボックス本体１内には中底６が設けられ、ボックス本体１の底板１ａと前記中底６との間に密閉された空間７が設けられている。地中に埋設された埋設配管８、８は前記底板１ａに設けられた孔を通してボックス本体１の前記空間７に導入され、そこでケーブル９の一端が埋設配管８、８のケーブル８ａと圧着スリーブ１０等で電気的に接続されている。
【００２３】
図４はケーブル９と埋設配管８，８の前記圧着スリーブ１０による接続の配線構成を示す。具体的には前記ケーブル８ａはケーブルシース８ｂ内に絶縁体８ｃが被覆された導体８ｄが２本通っている。地中に埋設された埋設配管８のケーブル８ａの一部をボックス本体１の前記空間７内に導入し、当該空間７内の前記ケーブル８の一定幅のケーブルシース８ｂをはぎ取り、その中央部の絶縁体８ｃをはぎ取って２本の導体８ｄをむき出しにする。また、前記ケーブル９もケーブルシース９ａ内に絶縁体９ｂが被覆された導体９ｃが２本通っている。そして前記空間７内に一端を入れたケーブル９の端部の２本の導体９ｃをむき出しにして、圧着スリーブ１０により前記各導体８ｄ及び各導体９ｃを電気的に接続したものである。
【００２４】
そして、前記ケーブル９の他端は前記中底６に穿った孔６ａを通って、中底６の上のボックス本体１内に導入され、ケーブル９の先端に、プラグ受け１１が一体に接続されている。また、中底６の孔６ａを通るケーブル９の周囲には抜け止め具１２が被冠され、ケーブル９が中底６で固定されている。また、前記蓋２はチェーン１３でボックス本体１とつながっている。
【００２５】
このケーブル９の長さは、当該コンセントボックスＡの外側に引き出されても一定の長さを有する長さである。また、このコンセントボックスＡはボックス本体１の底板１ａを植栽の中の地表面に置いて固定されている。
【００２６】
そして、植栽中に、電源が必要となった際、前記蓋２を開け、ボックス本体１内からケーブル９を取出し、ボックス本体１の上端の切り欠き５にケーブル９を入れ、図５に示すように、このケーブル９箇所に蓋２の下端の切り欠き４を合わせて蓋２をボックス本体１に被せれば、ボックス本体１は密閉される。
【００２７】
また、この状態で、コンセントボックスＡからケーブル９及びプラグ受け１１が引き出されており、使用する機器の電線ケーブルをプラグ受け１１につなぎ電源を供給できる。勿論蓋２を開けた状態で、前記プラグ受け１１に前記電線カーブルをつなげても良く、また、ボックス本体１内でプラグ受け１１に前記電線ケーブルを接続し、当該電線ケーブルを前記切り欠き４、５に通して、コンセントボックスＡの外に引きだし、蓋２を閉めた状態で使用することもできる。
【００２８】
なお、上記実施の形態例１では、切り欠き４、５を設けたが、これらはこの考案の必須要件ではない。また、蓋２の下端縁に内周縁板３を設けたが、この内周縁板も必須要件ではない。
【００２９】
また、上記実施の形態例１では、ボックス本体１内に中底６を設けたが、当該中底６はこの考案の必須要件ではない。また、抜け止め具１２はなくても良い。
【符号の説明】
【００３０】
Ａ        コンセントボックス
１        ボックス本体              １ａ    底板
２        蓋                        ３      内周縁板
４        切り欠き                  ５      切り欠き
６        中底                      ６ａ    孔  
７        空間                      ８      埋設配管
８ａ      ケーブル                  ８ｂ    ケーブルシース
８ｃ      絶縁体                    ８ｄ    導体
９        ケーブル                  ９ａ    ケーブルシース
９ｂ      絶縁体                    ９ｃ    導体
１０    スリーブ                    １１      プラグ受け  
１２    抜け止め具                  １３      チェーン
【図１】
0003224368.tif 000003
【図２】
0003224368.tif 000004
【図３】
0003224368.tif 000005
【図４】
0003224368.tif 000006
【図５】
0003224368.tif 000007